【手続補正書】
【提出日】平成15年3月25日(2003.3.25)
【手続補正１】
【補正対象書類名】明細書
【補正対象項目名】特許請求の範囲
【補正方法】変更
【補正の内容】
【特許請求の範囲】
【請求項１】
無線通信部と少なくとも一つのデータ入力装置を含む、荷物データを収集して記憶することができるデータ取込み装置と、
データ記憶装置とドッキング装置の通信無線通信部を含むドッキング装置であって、ここにデータ取込み装置はドッキング装置と連携させられており、データ取込み装置は赤外線通信ポートでドッキング装置と通信し、収集され記憶されている荷物データをデータ取込み装置からドッキング装置に送信するドッキング装置と、
収集され記憶されている荷物データを、無線通信によりデータ取込み装置から、およびドッキング装置通信無線によりドッキング装置から、直接に受信することができる、収集され記憶されている荷物データを含む荷物データベースを維持する遠隔のメインフレーム・データ保管庫と、
を含む、荷物追跡システム。
【請求項２】
少なくとも一つのデータ入力装置がタッチ画面である、請求項１記載の荷物追跡システム。
【請求項３】
タッチ画面がスタイラスを使って入力されるサインを受け入れることができるサイン取込み要素を含む、請求項２記載の荷物追跡システム。
【請求項４】
タッチ画面がサインが行われている間にサインを表示することができる、請求項３記載の荷物追跡システム。
【請求項５】
タッチ画面がサインが終わった後にそのサインを上下の向きを逆にすることができる、請求項４記載の荷物追跡システム。
【請求項６】
タッチ画面がＬＣＤディスプレイを含む、請求項３記載の荷物追跡システム。
【請求項７】
ドッキング装置が配達車の中にある、請求項１記載の荷物追跡システム。
【請求項８】
データ取込み装置から直接にメインフレーム・データ保管庫に情報を送信するためのパケット・データ無線ネットワークをさらに含む、請求項１記載の荷物追跡システム。
【請求項９】
無線通信がそれによりデータ取込み装置が無線通信される情報をメインフレーム・データ保管庫から直接に受信することができる双方向無線である、請求項１記載の荷物追跡システム。
【請求項１０】
少なくとも一つのデータ入力装置が複数のキーを含むキーボードであり、かつ複数のキーのうちの少なくとも一つがそれに関係づけられた複数の機能を持つ、請求項１記載の荷物追跡システム。
【請求項１１】
データ取込み装置がタッチ画面を含み、複数のキーのうちの少なくとも一つに対応する複数の機能うちの少なくとも一つの機能がそのタッチ画面に表示される、請求項１０記載の荷物追跡システム。
【請求項１２】
荷物データをメインフレーム・データ保管庫に送信するためにデータ取込み装置をそこにドッキングさせることができる基地局をさらに含む、請求項１記載の荷物追跡システム。
【請求項１３】
基地局がセル方式の通信ネットワークでメインフレーム・データ保管庫と通信する、請求項１記載の荷物追跡システム。
【請求項１４】
データ取込み装置がメモリを含み、そのメモリが収集された荷物データを記憶し、そしてデータ取込み装置からメインフレーム・データ保管庫に直接に送信された収集データがメインフレーム・データ保管庫に直接には送信されない収集データから見分けることができる、請求項１記載の荷物追跡システム。
【請求項１５】
荷物追跡データを装置内に入力するための、少なくとも一つのデータ入力装置と、
装置内に入力された荷物追跡データを記憶するためのメモリと、
記憶された荷物追跡データを直接に遠隔のメインフレーム・データ保管庫に送信するための無線通信部と、
記憶された荷物追跡データの遠隔のメインフレーム・データ保管庫へのパケット・データ無線ネットワークによる送信を容易にするアンテナと、
を含む、荷物追跡データを取り込んで記憶するための携帯式データ取込み装置。
【請求項１６】
少なくとも一つのデータ入力装置がＬＣＤとスタイラスを使って入力されるサインを受け取るサイン取込み機能の両方を持つ、請求項１５記載のデータ取込み装置。
【請求項１７】
画面が、サインが行われている間に画面にそのサインをディジタル的に再生するサイン取込み機能を含む、請求項１６記載のデータ取込み装置。
【請求項１８】
ディジタル的に再生されたサインをそのサインが行われた後に画面上にディジタル的に再現されたサインに対して上下を逆にするようにディジタル的に再生されたサインを垂直方向に反転するサイン反転要素をさらに含む、請求項１７記載のデータ取込み装置。
【請求項１９】
荷物データがディジタル化された顧客のサインを含む、請求項１５記載のデータ取込み装置。
【請求項２０】
荷物データが荷物の配達の完了を表すデータを含む、請求項１５記載のデータ取込み装置。
【請求項２１】
少なくとも一つのデータ入力装置がバーコード・スキャナである、請求項１５記載のデータ取込み装置。
【請求項２２】
少なくとも一つのデータ入力装置がバーコード・スキャナである、請求項１５記載のデータ取込み装置。
【請求項２３】
少なくとも一つのデータ入力装置が複数のキーを含むキーボードであり、かつ複数のキーのうちの少なくとも一つがそれに関係づけられた複数の機能を持つ、請求項１５記載のデータ取込み装置。
【請求項２４】
データ取込み装置がタッチ画面を含み、複数のキーのうちの少なくとも一つに対応する複数の機能うちの少なくとも一つの機能がそのタッチ画面に表示される、請求項２３記載のデータ取込み装置。
【請求項２５】
（ａ）ディジタル的に生成される点がＬＣＤタッチ画面上に表示されるか否かを決定するために使われる平均閾値を設定するステップと、（ｂ）タッチ画面装置上のスタイラスの点位置を表す座標を取り込む、ここにスタイラスの点位置はスタイラスがＬＣＤタッチ画面に押しつけられているときにスタイラスからＬＣＤタッチ画面への圧力の印加によって決定されるステップと、
（ｃ）取り込まれた座標値をスライディング・キューに入れるステップと、
（ｄ）取り込まれたキューに入れられた座標値の数が平均閾値に等しくなるまでステップ（ｂ）と（ｃ）を繰り返すステップと、
（ｅ）キーに入れられた座標値の平均を計算するステップと、
（ｆ）タッチ画面装置上のスタイラスの次の点位置を表す座標値を取り込むステップと、
（ｇ）次の点位置の座標値を計算されたキーに入れられた座標値の平均と比較するステップと、
（ｈ）次の点位置の座標値が計算された平均から予め決められた許容範囲内であるとき、ＬＣＤタッチ画面に次の点位置を表示するステップと、
を含む、ＬＣＤタッチ画面に顧客のサインを画面上にそのサインが行われている間に再生する方法。
【請求項２６】
少なくとも一つの点位置を表すディジタル的に生成された点をＬＣＤタッチ画面に表示するステップの前に、少なくとも一つの点位置に対応する座標値をＬＣＤの座標値に変換するステップをさらに含む、請求項２５記載の方法。
【請求項２７】
ディジタル的に生成された点をＬＣＤタッチ画面に表示したステップの後に、最も古い取り込まれた座標値をスライディング・キューから削除するステップをさらに含む、請求項２５記載の方法。
【請求項２８】
スライディング・キューが先入れ先出し（ＦＩＦＯ）キューである、請求項２５記載の方法。
【請求項２９】
好ましいキーボードを読む向きを持つキーボードを備えた装置に対する２人の異なる人からのデータ入力を容易にするための方法であって、
Ａ）前記装置が前記好ましいキーボードを読む向きに向けられている間の前記第１の人による前記装置へのデータの入力のステップと、
Ｂ）前記第１の人が前記第２の人に向かっている間における前記第１の人から前記第２の人への、前記装置が前記第１の人に対しては前記好ましいキーボードを読む向きに向けられたままであるが前記第２の人に対しては前記好ましいキーボードを読む向きからほぼ１８０度に向けられるように、前記装置を差し出すステップと、
Ｃ）前記装置が前記第２の人に対して前記好ましい読む向きからほぼ１８０度に向けられたままである間における前記第２の人によるデータの入力するステップであって、ここに前記データに対応するデータの表示が、前記第２の人に対しては好ましいデータの表示を読む向きに向けられるが、前記第１の人に対しては好ましい読む向きからほぼ１８０度に向けられて、与えられるステップと、
前記第１の人が前記第２の人に向かっている間における、前記装置が前記第１の人に対して前記好ましいデータの表示を読む向きに向けられているが、前記第２の人に対しては前記好ましいデータの表示を読む向きからほぼ１８０度に向けられているままでの、前記第２の人から前記第１の人へ前記装置を差し戻すステップと、
前記装置は前記第１の人に対して前記好ましい読む向きに向けられたまま、前記第１の人が前記データをステップ「Ｃ」においてそれが前記第２の人によって見られるのと実質上同じ向きで見ることができるように、前記データの表示がそれにより前記第１の人に対して好ましいデータを読む向きに向けられるように、前記データの表示を前記装置のそれ以外の部分に対する向きの変更を行うステップと、
を含む方法。
【請求項３０】
前記第２の人による前記データ入力がスタイラスで行われる、請求項２９記載の方法。
【請求項３１】
好ましい読む向きを持つキーボードを備えた装置に対する２人の異なる人からのデータ入力を容易にするための方法であって、
Ａ）前記装置が前記好ましいキーボードを読む向きに向けられている間における前記第１の人による前記装置へのデータの入力のステップと、
Ｂ）前記第１の人が前記第２の人に向いている状態における前記第１の人から前記第２の人への、前記装置が前記第１の人に対しては前記好ましいキーボードを読む向きに向けられたままであるが前記第２の人に対しては前記好ましいキーボードを読む向きからほぼ１８０度に向けられるように、前記装置を差し出すステップと、
Ｃ）前記装置が前記第２の人に対して前記好ましい読む向きからほぼ１８０度に向けられたままである間における前記第２の人によるサインの入力、ここに前記サインに対応するサインの表示が、前記第２の人に対しては好ましいサインを読む向きに向けられているが前記第１の人に対しては好ましい読む向きからほぼ１８０度に向けられて、与えられるステップと、
Ｄ）前記第１の人が前記第２の人に向いている状態における前記第２の人から前記第１の人への、前記装置が前記第１の人に対して前記好ましいサインを読む向きに向けられているが、前記第２の人に対しては前記好ましいサインを読む向きからほぼ１８０度に向けられているままでの、前記装置の差し戻すステップと、
Ｅ）前記装置は前記第１の人に対して前記好ましい読む向きに向けられたまま、前記第１の人が前記サインの表示をそれが前記第２の人によって入力されたのと実質上同じ向きで見ることができるように前記サインの表示がそれにより前記第１の人に対して好ましいデータを読む向きに向けられるべく、前記サインの表示を前記装置のそれ以外の部分に対して向きを変えるステップと、
を含み、
前記サインの表示は、ステップ「Ａ」から「Ｅ」まで維持される向きを有する少なくとも１つの表示要素を含む方法。
【請求項３２】
ステップ「Ｃ」がサインの取込み機能を備えたタッチ画面の使用を含む、請求項３１記載の方法。
【請求項３３】
無線通信機能を備えたデータ取込み装置と送信システムを使って荷物データを追跡する方法であって、
データ取込み装置を使って荷物追跡データを収集し記憶するステップと、
収集され記憶された荷物追跡データの少なくとも幾らかを直接に遠隔のメインフレーム・データ保管庫にパケット・データ無線ネットワークを通じて送信するステップと、
送られてきた収集され記憶された荷物追跡データに基づいてメインフレーム・データ保管庫内にアクセス可能な荷物追跡データベースを維持する、ここに荷物追跡データベースはメインフレーム・データ保管庫によって受信された、送られてきた収集され記憶された荷物追跡データを格納するステップと、
前記荷物追跡データベース内に格納されている前記荷物追跡データを、コンピュータ・ネットワークを通じてメインフレーム・データ保管庫と通信するコンピュータによりアクセス可能にするステップと、
を含む方法。
【請求項３４】
データ取込み装置がスタイラスを使って入力されたサインを受け取ることができるサイン取込み要素を持つタッチ画面を含む、請求項３３記載の方法。
【請求項３５】
タッチ画面がサインをそのサインが行われている間に表示する、請求項３４記載の方法。
【請求項３６】
データ取込み装置がパケット・データ無線ネットワークを通じて無線通信を受信する、請求項３４記載の方法。
【請求項３７】
ディスプレイの画面がディスプレイの２つの側にいる人にデータを表示することができ、かつ各人によるデータの見え方が同じであるような、ディスプレイの画面にデータを表示する方法であって、
ディスプレイの画面にデータを表示する、ここにデータはディスプレイの画面に関して第１の向きであり、データが第１の向きのときは第１の人によって見られることができるステップと、
ディスプレイの画面にデータを再生するための命令を受け取る、ここにデータの再生はデータがディスプレイの画面に関して第２の向きでありデータが第２の向きのとき第２の人によって見られることができるようにデータを再生成するステップと、
ディスプレイの画面を使ってデータを生成する、ここにディスプレイの画面はタッチ画面ディスプレイであり、タッチ画面は前後で向きを維持する少なくとも１つの表示要素を含むステップを含み、
データの第１の向きはデータの第２の向きから１８０度であり、ディスプレイの対向する側にいて互いに向き合っている人が、ディスプレイの画面に関し位置を変えずに、同じ見え方で交互にデータを見ることができる方法。